(57)【要約】【課題】  複数のマークを着けたネクタイは、そのマークの内で適切にネクタイを結べるマークを覚えておくというものであった。しかし、多くのネクタイを所有し、また時によりネクタイの結び方を変えたりする場合など、そのネクタイのおける適切なマークの位置を記憶しておくことは困難である。【解決手段】  針と該針のついたネクタイマーク本体と、該針の針先を受ける針受けを有し、装着時の大きさが直径１０ｍｍの球内に収まる大きさの、着脱可能なネクタイマークで、その針によってネクタイに装着する。針受けは針先を受けるもので、ネクタイマーク外部に針先が突出し、指を刺したり、ネクタイの小剣に刺さったりしないようにするものである。【選択図】図１
2005290649.tif 000002
【特許請求の範囲】
【請求項１】
針と該針のついたネクタイマーク本体と、該針の針先を受ける針受けを有し、装着時の大きさが直径１０ｍｍの球内に収まる、着脱可能なネクタイマーク。
【請求項２】
円弧状の針と該針のついたネクタイマーク本体と、該針の針先を受ける針受けを有し、該針先がバネもしくはネジにより付勢または制限され針受けに向かう構造で、装着時の大きさが直径１０ｍｍの球内に収まる、着脱可能な請求項１に記載のネクタイマーク。
【請求項３】
１対の針先が互いに対向し、該針先がバネもしくはネジにより付勢または制限され、間が開いた状態から閉じる方向に向かう構造で、装着時の大きさが直径１０ｍｍの球内に収まる、着脱可能なネクタイマーク。
【請求項４】
直径１０ｍｍ、厚さ５ｍｍの円柱に収まる大きさで、その一平面に粘着体を付着し、該粘着体によってネクタイに着脱可能なネクタイマーク。
【請求項５】
直径０．５ｍｍ以上の貫通した孔を設けた請求項４に記載のネクタイマーク。
【発明の詳細な説明】
【技術分野】
【０００１】  本発明は、ネクタイを結ぶときに使うマークに関するものである。
【背景技術】
【０００２】  従来、ネクタイをうまく結ぶために、ネクタイに直接マークをつけそのマークを基準に結ぶというものがあった。（特許文献１〜２３）
これは、ネクタイの結び始めの位置によってそのネクタイの大剣の長さがほぼ決まるというネクタイの結び方の仕組みを応用したもので、例えば一般的な長さのネクタイでは大剣の先端から６５ｃｍ辺たりを小剣に重ねて結び始めると大剣の先端が小剣の先端よりも結び目からの長さが長くなり程良い結び方となる。
また、マークがあっても、ネクタイの長さ、結び方、結び目付近のネクタイの巾、厚み、結びの固さ、首の太さ、ワイシャツの首周りの長さなどによって、そのマークの位置が程良い結び方の印とならない場合があり、マークを複数つける工夫が成されているものが多かった。（特許文献１・２・３・５・６・１１・１３・１４・１７・１８・２０〜２３）
また、マークがスライドし適切な位置になるように工夫したものもあった。（特許文献９・１２）【０００３】
【特許文献１】特開２００２−１７３８１４号
【特許文献２】特開平０５−０９３３０３号
【特許文献３】実登３０１７５９１号
【特許文献４】実開平０７−００１０２７号
【特許文献５】実開平０５−０８１２１５号
【特許文献６】実開平０５−０３０１１２号
【特許文献７】実開平０３−１４１１２号
【特許文献８】実開平０３−１４１１１号
【特許文献９】実開平０１−１２５３２１号
【特許文献１０】実開平０１−０８３０１８号
【特許文献１１】実開昭６３−１３５９１５号
【特許文献１２】実開昭６３−１２３６２４号
【特許文献１３】実開昭６２−０２３８１９号
【特許文献１４】実開昭６１−１４７２１０号
【特許文献１５】実開昭６１−１４７２０９号
【特許文献１６】実開昭６１−１２５１２０号
【特許文献１７】実開昭６１−０３００２２号
【特許文献１８】実開昭６０−１３２４１５号
【特許文献１９】実開昭６０−０８６５２３号
【特許文献２０】実開昭５２−０４７９２７号
【特許文献２１】実開昭５０−０８９５２１号
【特許文献２２】実開昭５０−０８４２１７号
【特許文献２３】実公昭４１−４９８０号
【発明の開示】
【発明が解決しようとする課題】
【０００４】  複数のマークを着けたネクタイは、そのマークの内で適切にネクタイを結べるマークを覚えておくというものであった。しかし、多くのネクタイを所有し、また時によりネクタイの結び方を変えたりする場合など、そのネクタイにおける適切なマークの位置を記憶しておくことは困難である。
【課題を解決するための手段】
【０００５】  本発明は、適宜そのネクタイの最適な結び目となるポイントにマークをつられるようにしたもので、直径１０ｍｍの球内に収まる大きさとマークを着脱可能なものとしたことを主要な特徴とする。
ネクタイマークは、結び目に包み込まれることになるため、結び目の形を崩さないよう、所定のサイズ以内にする必要がある。
なお、ネクタイを解くとき、ネクタイの小剣が結び目の中のマークと擦れながら引き出されることになるので、引っかかりやすい突起は避けるべきである。
上記のようにネクタイピンやバッチとは用途も大きさも違い、また結び目に包み込まれ外から見えず、引っかかりやすい突起がないなど構造的にも異なる点が多い。【０００６】  請求項１に示す本発明は、針と該針のついたネクタイマーク本体と、該針の針先を受ける針受けを有し、装着時の大きさが直径１０ｍｍの球内に収まる、着脱可能なネクタイマークで、その針によってネクタイに装着する。
針受けは針先を受けるもので、ネクタイマーク外部に針先が突出し、指を刺したり、ネクタイの小剣に刺さったりしないようにするものである。
針はネクタイの表裏を貫通してもよいし、貫通しないよう針が曲がっており、ネクタイを刺した面に針先が戻ってくるようになっていてもよい。
針がネクタイを貫通する場合の針受けは、バッチなどの針受けにもあるように針が抜けないようにキャッチすると同時に針先をカバーする。【０００７】  請求項２に示す本発明は、円弧状の針と該針のついたネクタイマーク本体と、該針の針先を受ける針受けを有し、該針先がバネもしくはネジにより付勢または制限され針受けに向かう構造で、装着時の大きさが直径１０ｍｍの球内に収まる、着脱可能な請求項１に記載のネクタイマークである。この発明はネクタイの裏面から針を刺した場合、針がネクタイの表に出ず、ネクタイの表面を傷つけることがない。【０００８】  請求項３に示す本発明は、１対の針先が互いに対向し、該針先がバネもしくはネジにより付勢または制限され、間が開いた状態から閉じる方向に向かう構造で、装着時の大きさが直径１０ｍｍの球内に収まる、着脱可能なネクタイマークである。これも上記ネクタイマーク同様ネクタイの裏面から針を刺した場合、同様に針がネクタイの表面を傷つけることがない。【０００９】  請求項４、５に示す本発明は、直径１０ｍｍ、厚さ５ｍｍの円柱に収まる大きさで、その一面に粘着体を付着し、該粘着体によってネクタイに着脱可能なネクタイマークである。直径０．５ｍｍ以上の貫通した孔は、マークの粘着体の粘着力が弱まった場合に針で糸を通し固定するための穴である。
【発明の効果】
【００１０】  本発明のネクタイマークは、着脱可能であるため、ネクタイの長さ、結び方、結び目付近のネクタイの巾、厚み、結びの固さ、首の太さ、ワイシャツの首周りの長さなどによって、適宜マークの位置を変えることができる。このためどのようなネクタイにも使用可能であり、またマークの位置を着け間違えたとしてもすぐに着け変えられるという利点がある。
【発明を実施するための最良の形態】  着脱可能にする手段は多く、ここに実施例として全てを網羅するものではなく、またこれによって発明が限定されるものではない。
【実施例１】
【００１１】  図１は、実施例１で、本体１に円弧状の針２が、軸３によって取り付けられており、ばね４１によって針先２ａが本体１の針受け部１ａに向かって付勢されている。バネ４１は圧縮バネでこれによって（イ）の状態と（ウ）の状態の時に針２を安定にしておくことができる。
（ウ）の状態の時に針２をネクタイに刺し、力を加えて（イ）の状態にして着ける。
また、バネ４１は圧縮バネであればコイルバネでなくＵ字状バネなどであってもよい。
また、この実施例では針を１本にしているが、針の数を２本ないし３本にしてより安定的に取り付けられるようにもできる。以下他の実施例でも同様である。
【実施例２】
【００１２】  図２は、実施例２で、本体１に円弧状の針２が、軸３によって取り付けられており、板バネ４６によって針先２ａが本体１の針受け部１ａに向かって付勢されている。板バネ４６によって（イ）の状態と（ウ）の状態の時に針２を安定にしておくことができる。（エ）に針の足２ｇと２ｈの位置関係を表す。２ｈは破線で表している。
（ウ）の状態の時に針２をネクタイに刺し、力を加えて（イ）の状態にして着ける。
なおバネ４６は板バネでなくともよい。
【実施例３】
【００１３】  図３は、実施例３で、本体１に針２が、軸３と針２の固定端２ｃによって取り付けられている。ネクタイに取り付けるには（ウ）の状態になるようつまみ５を本体の溝１ｂに沿って５ａの位置まで動かし、ネクタイに押し付けた状態で、つまみ５を離すと、針２のバネの力により、（イ）の形になり、ネクタイに取り着けられる。【００１４】  図４は、実施例４で、本体１は本体のつまみ部１ｃと本体のつまみ部１ｄと針２からなり、本体のつまみ部１ｃと本体のつまみ部１ｄは軸３でつながっており、ばね４によって本体つまみ部の下面１ｃｄが１平面上になるよう付勢されている。本体のつまみ部１ｃと本体のつまみ部１ｄは、ばね４によって本体つまみ部の下面１ｃｄが１８０°以下の角度にならないようストッパー部１ｅを持つ。
本体のつまみ部１ｄには円弧状に曲がった針２針があり、本体のつまみ部１ｃと本体のつまみ部１ｄを指で挟むことで、（ウ）に示すように針が開いた形となり、この状態でネクタイのマークをつけたい位置に針２を刺し、しかる後指の力を抜くとばね４によって、針２の針先が針受け部１ａに向かう。
【実施例５】
【００１５】  図５は、実施例５で、本体１は本体のつまみ部１ｃと本体のつまみ部１ｄと針２からなり、本体のつまみ部１ｃと本体のつまみ部１ｄは軸３でつながっており、ばね４によって本体つまみ部の下面１ｃｄが１平面上になるよう付勢されている。本体のつまみ部１ｃと本体のつまみ部１ｄは、ばね４によって本体つまみ部の下面１ｃｄが１８０°以下の角度にならないようストッパー部１ｅを持つ。
本体のつまみ部１ｃと本体のつまみ部１ｄにはそれぞれ円弧状に曲がった針２針があり、本体のつまみ部１ｃと本体のつまみ部１ｄを指で挟むことで、（ウ）に示すように針が開いた形となり、この状態でネクタイのマークをつけたい位置に当て、しかる後指の力を抜くとばね４によって、針２の針先がお互いに近づきネクタイに食い込む。
なお、この実施例では針２を１本づつにしているが、針２の数を２本づつないし３本づつにしてより安定的に取り付けられるようにもできるのは他の実施例と同様である。
【実施例６】
【００１６】  図６は、実施例６で、本体１は本体のつまみ部１ｇと本体のつまみ部１ｈと針２からなり、本体のつまみ部１ｇと本体のつまみ部１ｈは互いに摺動し、圧縮ばね４２によって（イ）の状態に保たれている。本体のつまみ部１ｇの針２１取り付け部１ｉには針２１が、本体のつまみ部１ｈの針２２取り付け部１ｊには針２２が取り付けられている。
本体１は本体のつまみ部１ｇと本体のつまみ部１ｈを指でつまむことで、（イ）の閉じた状態から（ウ）の針先が開いた状態になり、このときネクタイＮをつまんで針先に置き、本体のつまみ部１ｇと本体のつまみ部１ｈを押さえていた指の力を抜くことで、圧縮バネ４２の力により、本体１をネクタイＮに取り付けることができる。
【実施例７】
【００１７】  図７は、実施例７で、本体１に円弧状の針２が、軸３によって取り付けられており、ばね４によって針先２ａが互いに向き合うよう付勢されている。
本体１のネジ部１ｍに取り付けた開き止８は開き止溝８ａにより針２を押さえると共に本体１を回したときに一緒に回転しないよう針２に制限される。
（ウ）の状態で本体１を回すとき針２と開き止８は回らず、開き止８はは本体ネジ部１ｍを下がり、（イ）のように針先２ａが狭まり、ネクタイマーク本体１をネクタイＮに取り着けることができる。
なお、針２にバネ４を兼用させ、バネ４をなくすこともできる。
【実施例８】
【００１８】  図８は、実施例８の（ア）〜（オ）の５例で、本体１と一体の針２と、本体１とは別部品である針受け部品１２からなる。これらのネクタイマークは、ネクタイの表裏を針２でもって貫通させて装着する。
針先を受け留める構造は既にネクタイピンなどで使われているものと同じでよいが、全体の大きさ形状などは「課題を解決するための手段」の項で詳しく説明したように、ネクタイピンとは異なる。
針先を受け留めるための構造は本発明の要旨ではないので、ここでは簡単に説明する。【００１９】  （ア）は針２を板バネ４３で挟み留める。（イ）は針２の針の溝２ｅをＵ字バネ４４で挟み留めるもので、スナップボタンと同様の構造である。（ウ）は板バネの側面を使って針２を留める側面押さえ板バネ４５を使うもので、針受け部品１２は側面押さえ板バネつまみ部４５ａを両側からつまむことで本体１から針受け部品１２を簡単に抜くことができる。（エ）は針２に針のネジ部２ｆが有り、針受け部品１２を回して固定するもの。（オ）はキャッチャーボール１３ｂを用いたキャッチャー１３でキャッチャー開放つまみ１４を引くことで本体１から針受け部品１２を簡単に抜くことができる。
【実施例９】
【００２０】  図９は、実施例９で、直径６ｍｍ厚さ１ｍｍのもので、図示していない面に粘着体を付着している。小さな貫通穴１５ａは４つありその直径は１ｍｍである。この穴は粘着体の粘着力が衰え、ネクタイから取れてしまうことを防止するため糸で縫いつけるときに利用する。
【図面の簡単な説明】
【０００２１】
【図１】実施例１を表す図。（ア）は斜視図。（イ）は針が閉じたときの一部省略した側断面図。（ウ）は針が開いたときの一部省略した側断面図。なお、図の大きさは実際より拡大して記載している。他の図面においても同様である。
【図２】実施例２を表す図。（イ）は針が閉じたときの一部省略した側断面図。（ウ）は針が開いたときの一部省略した側断面図。（エ）は（イ）の一部省略したＡ−Ａ’矢視断面図。
【図３】実施例３を表す図。（イ）は針が閉じたときの一部省略した側断面図。（ウ）は針が開いたときの一部省略した側断面図。
【図４】実施例４を表す図。（ア）は斜視図。（イ）は針が閉じたときの一部省略した側面図。（ウ）は針が開いたときの一部省略した側面図。
【図５】実施例５を表す図。（ア）は斜視図。（イ）は針が閉じたときの側面図。（ウ）は針が開いたときの側面図。
【図６】実施例６を表す図。（ア）は斜視図。（イ）は針が閉じたときの側断面図。（ウ）は針が開いたときの側断面図。
【図７】実施例７を表す図。（ア）は斜視図。（イ）は針が閉じたときの一部省略した側断面図。（ウ）は針が開いたときの一部省略した側断面図。
【図８】（ア）は実施例アを表す側断面図。（イ）は実施例イを表す側断面図。（ウ）は実施例ウを表す側断面図。（エ）は実施例エを表す側断面図。（オ）は実施例オを表す側断面図。
【図９】実施例９の斜視図。
【符号の説明】
【００２２】１      本体
１ａ    本体針受け部
１ｂ    本体のつまみ可動溝
１ｃ    本体のつまみ部
１ｂ    本体のつまみ部
１ｃｄ  本体のつまみ部下面
１ｅ    つまみのストッパー部
１ｇ    本体のつまみ部
１ｈ    本体のつまみ部
１ｉ    針２１取り付け部
１ｊ    針２２取り付け部
１ｍ    本体ネジ部
１２    針受け部品
１２ａ  針受け部品ネジ部
１３    キャッチャー
１３ａ  キャッチャーテーパー部
１３ｂ  キャッチャーボール
１３ｃ  キャッチャーバネ
１４    キャッチャー開放つまみ
１５    請求項５に示す本発明の本体
１５ａ  小さな貫通穴
２      針
２ａ    針先
２ｃ    針の固定端
２ｅ    針の係止溝
２ｆ    針のネジ部
２ｇ    針の足
２ｈ    針の足
２１    １ｆに固定された針
２２    １ｇに固定された針
３      軸
４      バネ
４１    足つき圧縮バネ
４２    圧縮バネ
４３    板バネ
４４    Ｕ字バネ
４５    側面押さえ板バネ
４５ａ  側面押さえ板バネつまみ部
４６    Ｕ字板バネ
５      つまみ
５ａ    つまみを動かした位置
８      開き止
８ａ    開き止溝
Ｎ      ネクタイ
Ｎａ    つまんだネクタイ
【図１】
2005290649.tif 000003
【図２】
2005290649.tif 000004
【図３】
2005290649.tif 000005
【図４】
2005290649.tif 000006
【図５】
2005290649.tif 000007
【図６】
2005290649.tif 000008
【図７】
2005290649.tif 000009
【図８】
2005290649.tif 000010
【図９】
2005290649.tif 000011